(57)【要約】【課題】オブジェクトを曲げた後に押圧機構を直接取り外してオブジェクトを取り出すことができるため、作業時間が短縮され、構造が簡素で、加工が容易な曲げ装置を提供する。【解決手段】曲げ装置１は、本体１０、押圧機構２０及び２つの柄部３０を備える。本体１０には、横方向１１と、横方向１１を周回する周方向１２とが定義される。本体１０は、横方向１１で延びて延設された第１の枢着部と、周方向１２で延びて延設された案内面と、長尺物を拘束する拘束口とを有する。押圧機構２０は、第１の枢着部に着脱自在に枢着される第２の枢着部と、案内面に対向する押圧部とを有する。柄部３０は、本体１０及び押圧機構２０にそれぞれ接続され、横方向１１の周りで揺動可能である。【選択図】図１
0003209013.tif 000002
【実用新案登録請求の範囲】
【請求項１】
本体、押圧機構及び２つの柄部を備えた曲げ装置であって、
前記本体には、横方向と、前記横方向を周回する周方向と、が定義され、前記本体は、前記横方向で延びて延設された第１の枢着部と、周方向で延びて延設された案内面と、長尺物を拘束する拘束口と、を有し、
前記押圧機構は、前記第１の枢着部に着脱自在に枢着される第２の枢着部と、前記案内面に対向する押圧部と、を有し、
前記柄部は、前記本体及び前記押圧機構にそれぞれ接続され、前記横方向の周りで揺動可能であることを特徴とする曲げ装置。
【請求項２】
前記第１の枢着部及び前記第２の枢着部は、何れか一方がステムを有し、他方が前記ステムに掛け渡す掛け口を有することを特徴とする請求項１に記載の曲げ装置。
【請求項３】
前記拘束口は、前記掛け口に対応する一側が開放され、
前記掛け口は、前記第１の枢着部に対応する径方向が開放されていることを特徴とする請求項２に記載の曲げ装置。
【請求項４】
前記本体は、着脱自在のプレート体を含み、
前記プレート体は、拘束口を有することを特徴とする請求項１に記載の曲げ装置。
【請求項５】
前記第２の枢着部は、前記押圧機構に着脱自在に設けられることを特徴とする請求項１に記載の曲げ装置。
【請求項６】
前記押圧部は、少なくとも１つの転動体を有し、
前記転動体は、前記案内面に対向する凹面を有することを特徴とする請求項１に記載の曲げ装置。
【請求項７】
前記２つの柄部は、少なくとも１つが伸縮可能であり、互いに嵌着した２つの第１の杆体及び第２の杆体を含み、
前記第１の杆体は、長手方向に形成された少なくとも１つの位置決め溝を有し、
前記第２の杆体には、スリーブが嵌着され、
前記第１の杆体と前記スリーブとの間には、位置決め体が設けられ、
前記第２の杆体及び前記スリーブには、弾性部材が当接され、前記弾性部材の蓄勢により前記第２の杆体と前記スリーブとには常時異なる方向へ力が加わり、前記位置決め体には、前記スリーブが当接され、前記位置決め体が前記位置決め溝の一つに着脱自在に位置決めされ、
前記第１の杆体には、スライド溝が長手方向で延設され、
前記スライド溝内には、少なくとも１つの位置決め溝が形成され、
前記第１の枢着部は、ステムを含み、
前記第２の枢着部は、前記ステムに掛け渡す掛け口を含み、
前記拘束口は、前記掛け口に対応する一側が開放され、
前記掛け口は、前記第１の枢着部に対応する径方向が開放され、
前記本体は、着脱自在のプレート体を含み、
前記プレート体は、拘束口を有し、
前記第２の枢着部は、前記押圧機構に着脱自在に設けられ、
前記押圧部は、複数の転動体を含み、
前記案内面は凹面であり、
前記転動体は、前記案内面に対向する凹面をそれぞれ有し、
前記押圧機構の側部には、少なくとも１つのストッパ突起が突設され、
前記ストッパ突起は、前記プレート体と前記２つの柄部のうちの１つとの間に位置するとともに、前記プレート体に当接され、
前記２つの柄部は、前記本体及び前記押圧機構に着脱自在に接続され、
前記押圧機構に接続された前記柄部の長手方向と、前記複数の転動体を結ぶ線とにより、前記押圧機構から離れる方向へ広がった夾角が形成され、
前記少なくとも１つの位置決め溝は複数個あることを特徴とする請求項１に記載の曲げ装置。
【請求項８】
本体、押圧機構及び２つの柄部を備えた曲げ装置であって、
前記本体には、横方向と、前記横方向を周回する周方向と、が定義され、前記本体は、前記周方向で延びた案内面と、長尺物を拘束する拘束口と、を有し、
前記押圧機構は、前記本体に枢着されるとともに、前記案内面に対向する押圧部を有し、
前記柄部は、前記本体及び前記押圧機構にそれぞれ接続され、前記横方向の周りで揺動可能であり、前記２つの柄部のうちの少なくとも１つは伸縮可能であることを特徴とする曲げ装置。
【請求項９】
前記２つの柄部のうちの少なくとも１つは、互いに嵌着する第１の杆体及び第２の杆体を含み、
前記第１の杆体は、長手方向に形成された少なくとも１つの位置決め溝を有し、
前記第２の杆体には、スリーブが嵌着され、
前記第１の杆体と前記スリーブとの間には、位置決め体が設けられ、
前記第２の杆体及び前記スリーブには、弾性部材が当接され、前記弾性部材の蓄勢により前記第２の杆体と前記スリーブとには常時異なる方向へ力が加わり、前記位置決め体に前記スリーブが当接され、前記位置決め体が前記位置決め溝の一つに着脱自在に位置決めされることを特徴とする請求項８に記載の曲げ装置。
【請求項１０】
前記第１の杆体には、スライド溝が長手方向で延設され、
前記スライド溝内には、少なくとも１つの位置決め溝が形成されることを特徴とする請求項９に記載の曲げ装置。
【考案の詳細な説明】
【技術分野】
【０００１】
本考案は、曲げ装置に関する。
【背景技術】
【０００２】
長尺物を押圧機構とそれに対応した弧面との間に固定し、曲げ装置の２つのハンドルに曲げモーメントを加えて曲げ、低コストで速やかに作業を行うことができる上、角度を調整することもできる長所を有するため、当業者の間で広く利用されている。
【０００３】
従来の曲げ装置は、押圧機構が本体に直接枢着されて取り外すことができなかったため、曲げる作業を行った後に互いに近くにある２つのハンドルを再び開かなければ、オブジェクトをスムーズに取り出すことができなかった。そのため、工程及び時間が多くかかった。
【０００４】
そのため、上述したような従来の問題点を改善する新規性及び進歩性を有する曲げ装置が求められていた。
【考案の概要】
【考案が解決しようとする課題】
【０００５】
本考案の目的は、オブジェクトを曲げた後に押圧機構を直接取り外してオブジェクトを取り出すことができるため、作業時間が短縮され、構造が簡素で、加工が容易な曲げ装置を提供することにある。
【課題を解決するための手段】
【０００６】
上記課題を解決するために、本考案の第１の形態によれば、本体、押圧機構及び２つの柄部を備えた曲げ装置であって、前記本体には、横方向と、前記横方向を周回する周方向と、が定義され、前記本体は、前記横方向で延びて延設された第１の枢着部と、周方向で延びて延設された案内面と、長尺物を拘束する拘束口と、を有し、前記押圧機構は、前記第１の枢着部に着脱自在に枢着される第２の枢着部と、前記案内面に対向する押圧部と、を有し、前記柄部は、前記本体及び前記押圧機構にそれぞれ接続され、前記横方向の周りで揺動可能であることを特徴とする曲げ装置が提供される。
【０００７】
上記課題を解決するために、本考案の第２の形態によれば、本体、押圧機構及び２つの柄部を備えた曲げ装置であって、前記本体には、横方向と、前記横方向を周回する周方向と、が定義され、前記本体は、前記周方向で延びた案内面と、長尺物を拘束する拘束口と、を有し、前記押圧機構は、前記本体に枢着されるとともに、前記案内面に対向する押圧部を有し、前記柄部は、前記本体及び前記押圧機構にそれぞれ接続され、前記横方向の周りで揺動可能であり、前記２つの柄部のうちの少なくとも１つは伸縮可能であることを特徴とする曲げ装置が提供される。
【図面の簡単な説明】
【０００８】
【図１】図１は、本考案の一実施形態に係る曲げ装置を示す斜視図である。
【図２】図２は、本考案の一実施形態に係る曲げ装置を示す分解斜視図である。
【図３】図３は、本考案の一実施形態に係る曲げ装置を示す別の分解斜視図である。
【図４】図４は、本考案の一実施形態に係る曲げ装置を示す断面図である。
【図５】図５は、本考案の一実施形態に係る曲げ装置を示す動作図である。
【図６】図６は、本考案の一実施形態に係る曲げ装置を示す別の動作図である。
【考案を実施するための形態】
【０００９】
以下、本考案の実施形態について図に基づいて説明する。なお、これによって本考案が限定されるものではない。
【００１０】
図１〜図６を参照する。図１〜図６に示すように、本考案の一実施形態に係る曲げ装置１は、少なくとも本体１０、押圧機構２０及び２つの柄部３０から構成されてなる。
【００１１】
本体１０には、横方向１１と、横方向１１を周回する周方向１２と、が定義される。本体１０は、横方向１１で延びて延設された第１の枢着部１３と、周方向１２で延びて延設された案内面１４と、長尺物４０を拘束する拘束口１５１と、を有する。押圧機構２０は、第１の枢着部１３に着脱自在に枢着される第２の枢着部２１と、案内面１４に対向する押圧部２２と、を有する。２つの柄部３０は、本体１０及び押圧機構２０にそれぞれ接続され、横方向１１の周りで揺動可能である。本実施形態の本体１０は４分の１円柱体である。円柱体の軸方向は横方向１１である。案内面１４は円柱体の円周面である。押圧部２２は、第１の枢着部１３が円心で周回すると長尺物４０を案内面１４に沿って曲げ、押圧機構２０を直接取り外すと長尺物４０を取り出すことができる。
【００１２】
第１の枢着部１３及び第２の枢着部２１は、何れか一方がステム１３１を有し、他方がステム１３１に掛け渡す掛け口２１１を有する。拘束口１５１は、掛け口２１１に対応する一側が開放されている。掛け口２１１は、第１の枢着部１３に対応する径方向が開放されている。本実施形態の第１の枢着部１３は、ステム１３１を含む。ステム１３１は円柱形である。第２の枢着部２１は、掛け口２１１を有する。掛け口２１１はＵ字状の穴である。掛け口２１１とステム１３１とは、互いに組み合わせることができる形状を有する。押圧機構２０は、スムーズに周回することが可能であり、掛け口２１１の開放方向は、スムーズに着脱することができるように、押圧機構２０から離れる柄部３０へ向かう方向であることが好ましい。ステム１３１及び掛け口２１１は、本体１０の横方向１１上の同じ側に位置する。拘束口１５１は、掛け口２１１に対応する一側が開放されて長尺物４０が設置され、押圧機構２０を取り付ける際、本体１０の同一側に位置するため、作業工程をスムーズに行うことができる。
【００１３】
本体１０は、着脱自在のプレート体１５を含む。プレート体１５は、拘束口１５１を有する。着脱自在のプレート体１５を交換すると、異なる断面サイズ及び断面形状の長尺物に応用することができる。本実施形態の長尺物４０は、円杆又は円管である。拘束口１５１はＵ字状穴である。
【００１４】
第２の枢着部２１は、押圧機構２０に着脱自在に設けられる。詳細には、第２の枢着部２１はプレート体２１２である。押圧機構２０には、他方の横方向１１に少なくとも１つのストッパ突起２３が突設される。少なくとも１つのストッパ突起２３は、プレート体２１２と柄部３０との間に位置するとともに、プレート体２１２が当接される。ストッパ突起２３は、位置決めピン、ねじ又は着脱自在の位置決め部材でもよい。本実施形態の押圧機構２０には、他方の横方向１１にストッパ突起２３が突設されている。押圧機構２０には、第２の枢着部２１及びストッパ突起２３を螺着する複数のロック孔２４が形成され、長尺物４０の曲げ角度に応じて第２の枢着部２１及びストッパ突起２３の螺着位置を変えて２つの柄部３０間の角度を調整することにより、よりスムーズに力を加えることができる。
【００１５】
押圧部２２は、少なくとも１つの転動体２２１を含む。各転動体２２１は、案内面１４に対向する凹面２２２をそれぞれ有する。本実施形態の押圧部２２は、２つの転動体２２１を含む。押圧機構２０は、曲げたときの摩擦力が２つの転動体２２１により減るため、曲げるときに余計な力を加える必要がない。案内面１４は凹面であることが好ましい。複数の転動体２２１は、曲げるときの押点を提供し、長尺物４０が戻ることを防いで品質を高めることができる。凹面形状は、長尺物４０を曲げる過程で横方向１１で変位し得るため、ねじれ変形を防ぐことができる。
【００１６】
２つの柄部３０は、少なくとも１つが伸縮可能であることが好ましい。詳細には、２つの柄部３０のうちの少なくとも１つは、互いに嵌着した２つの第１の杆体３１及び第２の杆体３２を含む。第１の杆体３１は、長手方向に形成された少なくとも１つの位置決め溝３３を有する。第２の杆体３２には、スリーブ３４が嵌着される。第１の杆体３１とスリーブ３４との間には、位置決め体３５が設けられる。第２の杆体３２及びスリーブ３４には、弾性部材３６が当接され、弾性部材３６の蓄勢により第２の杆体３２とスリーブ３４とには常時異なる方向へ力が加わり、位置決め体３５には、スリーブ３４が当接され、位置決め体３５が位置決め溝３３の一つに着脱自在に位置決めされる。本実施形態の２つの柄部３０は、伸縮可能であり、第１の杆体３１は５つの位置決め溝３３を有し、柄部３０の長さには５種類ある。位置決め溝３３は弧形凹溝である。位置決め体３５は球体である。位置決め体３５は、第１の杆体３１に嵌設されるとともに、スリーブ３４及び第２の杆体３２と当接される。位置決め体３５は、剛性が大き目である鋼材などの材料からなる。弾性部材３６は、蓄勢によりスリーブ３４を常時、押圧機構２０へ当止させるばねでもよい。スリーブ３４は、第１のセクション３４１及び第２のセクション３４２を含む。第２のセクション３４２と第２の杆体３２との径方向の間隙は小さ目であり、位置決め体３５が位置決め溝３３内に位置するとき、弾性部材３６によりスリーブ３４が当止され、位置決め体３５を第２のセクション３４２に保持し、位置決め体３５が変形に対して抗する力により、杆体３１，３２の相対位置が固定され、柄部３０の長さを調整する場合、スリーブ３４を押圧機構２０から離れる方向へ移動させ、径方向の間隙が大き目の第１のセクション３４１に位置決め体３５を位置決めする。位置決め溝３３から位置決め体３５を外すと、柄部３０の長さを調整して曲げモーメントを調整することができる。第１の杆体３１には、スライド溝３１１が長手方向で延設されていることが好ましい。スライド溝３１１中には、５つの位置決め溝３３が形成され、スライド溝３１１内に位置決め体３５が制限され、伸縮して位置決め体３５を５つの位置決め溝３３に速やかに位置決めさせることができる。
【００１７】
２つの柄部３０は、好ましくは本体１０及び押圧機構２０に着脱自在に接続されてもよい。本実施形態では、２つの柄部３０に本体１０及び押圧機構２０がそれぞれ螺着されているためメンテナンスを行うことが容易である上、必要に応じて異なる長さのハンドルに変更することもできる。
【００１８】
押圧機構２０に接続された柄部３０の長手方向と、複数の転動体２２１を結ぶ線とにより、押圧機構２０から離れる方向へ広がった夾角が形成される。これにより、柄部３０の押圧機構２０から離れる方向の一端と、長尺物４０との間には手で持つための十分な空間が形成され、大き目の曲げ角度であるときに２つの柄部３０が重なって互いに干渉することを防ぐことができる。
【００１９】
上述したことから分かるように、本考案の曲げ装置は、押圧機構を直接取り外す方式により、オブジェクトを曲げた後に直接取り出すことができる上、必要に応じてハンドルの長さを調整することもでき、工程を簡素化し、工程時間及び手間を減らすことができる。
【符号の説明】
【００２０】
１    曲げ装置
１０    本体
１１    横方向
１２    周方向
１３    第１の枢着部
１４    案内面
１５    プレート体
２０    押圧機構
２１    第２の枢着部
２２    押圧部
２３    ストッパ突起
２４    ロック孔
３０    柄部
３１    第１の杆体
３２    第２の杆体
３３    位置決め溝
３４    スリーブ
３５    位置決め体
３６    弾性部材
４０    長尺物
１３１    ステム
１５１    拘束口
２１１    掛け口
２１２    プレート体
２２１    転動体
２２２    凹面
３１１    スライド溝
３４１    第１のセクション
３４２    第２のセクション
ａ    夾角
【図１】
0003209013.tif 000003
【図２】
0003209013.tif 000004
【図３】
0003209013.tif 000005
【図４】
0003209013.tif 000006
【図５】
0003209013.tif 000007
【図６】
0003209013.tif 000008